(57)【特許請求の範囲】
【請求項１】
跳ね上げフロント部はフロントフレームに取付けられて、必要に応じて上方へ跳ね上げることが出来る跳ね上げ式メガネフレームにおいて、フロントフレームの中央には取付け部を設けると共に該取付け部を切欠いた切欠き部を形成し、そして、切欠き部の正面側には軸を水平に取付け、一方の跳ね上げフロント部の中央には上片と下片及び繋ぎ部から成るコ形の挟持部を正面側へ突出した状態で設け、この挟持部を切欠き部に嵌めて上記軸を挟持部にて挟み込むと共にネジ締めすることで挟持部の回動に摩擦抵抗を付加し、跳ね上げられた跳ね上げフロント部が降下しないで保持されるようにし、そして跳ね上げフロント部が下がった状態では、フロントフレームの背面側に位置していることを特徴とする跳ね上げ式メガネフレーム。
【請求項２】
取付け部の切欠き部に嵌った挟持部は、該取付け部の正面、上面、及び下面から突出しない大きさ・形状とした請求項１記載の跳ね上げ式メガネフレーム。
【請求項３】
上記軸の断面を多角形とした請求項１、又は請求項２記載の跳ね上げ式メガネフレーム。
【発明の詳細な説明】
【技術分野】
【０００１】
本発明はフロント部を跳ね上げることが出来る跳ね上げ式メガネフレームに関するものである。
【背景技術】
【０００２】
跳ね上げ式メガネフレームとはフロントフレームが上・下に開閉するように構成したフレームである。この種のメガネフレームは従来から周知であり、例えば近視用メガネにサングラスを取付けて跳ね上げ式としたり、老眼鏡を跳ね上げ式としたものが多用されている。すなわちフロントフレームを二重構造として構成したものであり、表側のフロント部を跳ね上げ式としている。
【０００３】
跳ね上げ式メガネフレームと用途を共通したメガネに、前掛け式メガネフレームが知られているが、この型式のメガネフレームはフロント部を着脱可能としている。従って、フロント部を別に携帯しなくてはならず不便である。又、該フロント部を装着したり、逆に取外したりする操作も面倒である。
【０００４】
ところで従来において、跳ね上げ式メガネフレームの跳ね上げ機構として、色々知られている。例えば、実用新案登録第３１２４３８０号に係る「眼鏡」は、丁番を使用した跳ね上げ眼鏡であり、正面から見られた場合のデザインをスッキリし、更に軽く簡単な構造にしている。
そこで、前面中間部にブリッジを有するフロントフレームと、少なくとも一枚以上のレンズを抱持し中間部に軸受け用穴部が設けられた一方のコマ部が形成された回動ブリッジを有するレンズフレームとが、前部が前記フロントフレームのブリッジ裏面側に眼鏡正面から見えない様に後方に水平に向く様に固着され、後部が他方のコマ部として前記レンズフレームの回動ブリッジの一方のコマ部凹部に嵌合されボルトにより螺着される連結小片を介し、相互に連結され、そして、前記レンズフレームが前方から上方に向い跳ね上げ可能として構成している。
しかし、この眼鏡のレンズフレーム（跳ね上げフロント部）の跳ね上げ機構では、ボルトのネジ部と頭部間で相対的な回転抵抗が発生する為に該ネジ部が弛み易く、その結果、レンズフレーム（跳ね上げフロント部）のガタ付きを生じる。
【０００５】
特開２００４−２７９５０２号に係る「眼鏡枠」は、副フレーム（跳ね上げフロント部）が本体フレームに対して簡単に、かつ確実に着脱でき、副フレームを本体フレームに対して回動させた際、副フレームが利用者の意図する任意の角度に適正に、かつ確実に維持することができ、さらに副フレームと本体フレームとの取り付け構造をできるだけ美観を有するものにした跳ね上げ式眼鏡である。
そこで、テンプル、テンプルとリムをつなぐヨロイ部、左右のリム、左右のリムをつなぐ枢軸状ブリッジから構成される本体フレームと、左右一対のレンズ、前記レンズを保持するリム、左右のレンズをつなぐ保持部材、および前記保持部材に固定される前記本体フレームの枢軸状ブリッジを枢軸として回動する弾性嵌合部材から構成される副フレームとから構成されている。
【０００６】
しかし、この眼鏡枠では、枢軸と弾性嵌合部材を精密な形状と寸法に仕上げる必要があり、そして長期間の使用に伴う摩耗により副フレーム（跳ね上げフロント部）の保持力が低下することで、跳ね上げが出来ないといった問題が発生する。
【特許文献１】実用新案登録第３１２４３８０号に係る「眼鏡」
【特許文献２】特開２００４−２７９５０２号に係る「眼鏡枠」
【発明の開示】
【発明が解決しようとする課題】
【０００７】
このように、フロント部を跳ね上げることが出来る跳ね上げ式メガネフレームは色々存在している。本発明は従来とは全く異なるシンプルな構造にて、フロント部がガタ付くことなく、しかもフロント部の跳ね上げ回転がスムーズに行い得るように、又跳ね上げられたフロント部を保持する力が安定するように調整することが可能な跳ね上げ式メガネフレームを提供する。
【課題を解決するための手段】
【０００８】
本発明に係る跳ね上げ式メガネフレームは、跳ね上げフロント部がフロントフレームに取付けられ、該跳ね上げフロント部はフロントフレーム中央に設けた軸を中心として回動し、上方へ跳ね上げることが出来る構造としている。そこで、跳ね上げフロント部の中央連結部にはコ形挟持部を有し、このコ形挟持部にはネジが取付けられていて、該ネジを締付けることで両片間距離を縮めることが出来る構造としている。
【０００９】
従って、フロントフレームの中央軸を上記コ形挟持部によって挟み込んで取付けられ、ネジを回すことで軸を挟持する力が調整される。ここで、フロントフレーム側にもレンズを設けることもあるが、レンズを備えないで上記跳ね上げフロント部を取付けるだけのワタリとして形成することも出来る。そして、フロントフレームの両側には蝶番などの継手を介してツルが折畳み出来るように取付けられている。
【発明の効果】
【００１０】
本発明の跳ね上げ式メガネフレームでは、その跳ね上げフロント部がフロントフレームの中央軸に軸支されていて、回動することで上方へ跳ね上げることが出来る。そして、跳ね上げフロント部の中央に設けているコ形挟持部をフロントフレームの上記中央軸を挟み込んで軸支されるために、コ形挟持部に取付けたネジを締付けるならば、軸を挟み込む力が調整される。従って、フロント部の跳ね上げ力を適当に調整することが出来る。このように、本発明ではコ形挟持部によって軸を挟み込むだけのシンプルな構造で跳ね上げ機構を構成することが出来る。
【図面の簡単な説明】
【００１１】
【図１】本発明に係る跳ね上げ式メガネフレームで、跳ね上げフロント部が下りている状態。
【図２】本発明に係る跳ね上げ式メガネフレームで、跳ね上げフロント部が跳ね上げられている状態。
【図３】跳ね上げフロント部とフロントフレームを分離している状態。
【図４】取付け部に形成した切欠き部に軸を取付けた場合の断面図。
【図５】軸を挟持部で挟み込んだ状態。
【発明を実施するための形態】
【００１２】
図１は本発明に係る跳ね上げ式メガネフレームを示す実施例である。同図の１は跳ね上げフロント部、２はフロントフレーム、３はツル、４は鼻当てパットを夫々表している。同図は跳ね上げフロント１が降りた状態であり、該跳ね上げフロント部１を回動して上げた状態は図２のようになる。そして、図３は跳ね上げフロント部１とフロントフレーム２が互いに分離している状態、すなわち跳ね上げフロント部１をフロントフレームに取付ける前の状態を示している。図１に示す跳ね上げ式メガネフレームは、そのまま顔に掛けることが出来る。
【００１３】
本発明の跳ね上げ式メガネフレームの使用方法は限定しないが、例えば跳ね上げフロント部１に設けているレンズ５，５が老眼用レンズであるならば、仕事をしたり、新聞・雑誌を読む時には図１のように跳ね上げフロント部１を降ろした状態でメガネを着用し、遠くを見るときには図２のように跳ね上げフロント部１は上方へ跳ね上がられる。又、跳ね上げフロント部１にサングラスを取付けることも可能でり、フロントフレーム２に近眼用レンズを嵌めたメガネとして構成することも出来る。
【００１４】
ところで、図３に示すように跳ね上げ式メガネフレームは跳ね上げフロント部１とフロントフレーム２の組み合わせで構成しているは、該跳ね上げフロント部１はハーフリム６，６を連結部材７にて連結し、この連結部材７にはコ形をした挟持部８を中央に設けている。そして、上記ハーフリム６，６にレンズ５，５の下側が嵌り、上側は水糸にて拘束されている。すなわち、レンズ５の外周とハーフリム内周には凹溝が形成され、この凹溝に水糸が嵌ってハーフリム６に保持され、又、ハーフリム６の両先端に止着した水糸はレンズ上側凹溝に嵌って拘束される。
【００１５】
同図に示している跳ね上げフロント部１ではレンズ５の下側にハーフリム６を配置した形態としているが、リング状のフルリムを用いることもあり、又時にはリムのない縁なしフロント部として構成することも可能である。跳ね上げフロント部１は上方へ跳ね上げられるが、この際にリムが視界に入らない方が好ましく、その為には縁なし式の跳ね上げフロント部としたり、同図のようなレンズ下側のハーフリム型式の跳ね上げフロント部として構成する方が良い。
【００１６】
上記挟持部８は上片９と下片１０、及び繋ぎ部１１で構成されてコ形を形成し、上片９の先端側にはネジ穴１２が設けられている。そこで、下片１０に設けた穴からネジを挿通して上片９のネジ穴１２に螺合することが出来、しかも該ネジを締付けるならば、上片９は下片１０側へ引き寄せられて撓み変形することが出来る。
【００１７】
一方、フロントフレーム２はその中央部には取付け部１３を設け、該取付け部１３の正面側には四角形の切欠き部１４を形成している。そして、該切欠き部１４の正面側には軸１５が水平に取付けられている。切欠き部１４は取付け部１３の正面側を切削加工して形成され、軸１５は取付け部１３の下面に形成した凹溝に両先端が嵌合してロウ付けさている。
【００１８】
ここで、上記切欠き部１４はその形状を四角形とし、この四角形の切欠き部１４に跳ね上げフロント部１の中央に設けている上記挟持部８が嵌ることが出来る。この場合、挟持部８の上片９と下片１０の間に軸１５が嵌入し、前記図１に示すように繋ぎ部１１は取付け部１３の正面１６と同一面になり、上片９は上面１７と下片１０は下面と夫々同一面と成っている。
【００１９】
軸１５を挟んで挟持部８が取付け部１３に取付けられたところで、下片１０からネジ１８を挿通して上片９に設けたネジ穴１２に螺合する。しかも該ネジ１８を適度に締付けることで、上片９は撓み変形して軸１５を挟み込み、跳ね上げフロント部１はガタ付くことなく安定する。しかも、跳ね上げフロント部１が軸１５を中心として回動する際の適度な摩擦抵抗が形成され、図２に示すように跳ね上げられた跳ね上げフロント部１は自重にて降下することはない。
【００２０】
ところで、本発明の跳ね上げ式メガネフレームでは、跳ね上げフロント部１が下がった状態では、フロントフレーム２の内側（背面側）に配置される。跳ね上げフロント部１の中央連結部材７はコ形挟持部８の下片１０の先端側に固定され、しかも軸１５は切欠き部１４の正面側に取付けられている。その為に、取付け部１３の切欠き部１４に挟持部８が嵌って軸１５に軸支された状態では、跳ね上げフロント部１はフロントフレーム２の背面側に位置することになる。
【００２１】
従って、本発明の跳ね上げフロント部１のレンズ５，５は目に近くなって見易くなる。又、メガネを掛けた場合に跳ね上げフロント部１の重さを感じなくなる。勿論、従来の跳ね上げ式メガネフレーム（例えば、実用新案登録第３１２４３８０号に係る「眼鏡」）では、跳ね上げフロント部がフロントフレームの背面側に位置しているが、該跳ね上げフロント部の跳ね上げ角度はほぼ水平が限度であり、それ以上上げようとすればフロントフレーム当ってしまう。
【００２２】
しかし、本発明では跳ね上げフロント部１の跳ね上げ角度は何ら制約されることなく、真上まで跳ね上げることが出来る。本発明の跳ね上げフロント部１はフロントフレーム２の正面側から取付け部１３に取付けられるが、上記従来の実用新案登録第３１２４３８０号に係る「眼鏡」では、跳ね上げフロント部はフロントフレームの背面側に取付けられる構造であり、その為に跳ね上げフロント部の跳ね上げ角度が規制され、しかも跳ね上げフロント部を水平状態で保持するには重たく感じる。
【００２３】
図４は取付け部１３の切欠き部１４に軸１５を水平に取付けた場合の断面図であり、取付け部１３の下面１９には凹溝２０が形成され、この凹溝２０，２０に軸１５の両先端が嵌り、そして離脱しないようにロウ付けにて固定される。勿論、軸１５の固定手段としてロウ付けに限定するものではない。そして、軸１５は一般に円形断面を成しているが、時には角形断面とすることが出来る。
【００２４】
例えば、６角形断面の軸１５とするならば、該軸１５を挟み込んで回動する挟持部８は軸１５の角度に合わせて跳ね上げ角度を安定して保つことが出来る。図５は挟持部８の上片９と下片１０にて軸１５を挟み込み、ネジ１８を締めることで上片９は撓み変形して軸１５を中心として回動する挟持部８に適度な摩擦抵抗が付加され、しかも該ネジ１８の締め付け力を調整することで、該摩擦抵抗は加減される。
【符号の説明】
【００２５】
１  跳ね上げフロント部
２  フロントフレーム
３  ツル
４  鼻当てパット
５  レンズ
６  ハーフリム
７  連結部材
８  挟持部
９  上片
10  下片
11  繋ぎ部
12  ネジ穴
13  取付け部
14  切欠き部
15  軸
16  正面
17  上面
18  ネジ
19  下面
20  凹溝
【図１】
0005427508.tif 000002
【図２】
0005427508.tif 000003
【図３】
0005427508.tif 000004
【図４】
0005427508.tif 000005
【図５】
0005427508.tif 000006